(57)【要約】  本出願は、使用者の体験を向上するために、保護フィルム並びに、保護フィルムを切断するための方法及び装置を提供する。保護フィルムが複屈折効果によって特徴づけられる。保護フィルムが電子デバイスのタッチスクリーンに取り付けられる。保護フィルムのファスト軸方向が、電子デバイスのタッチスクリーンにおける第１の偏光子の偏光方向と平行であり、保護フィルムのスロー軸方向が、第１の偏光子の偏光方向に対して垂直である。代替的に、保護フィルムのスロー軸方向が、第１の偏光子の偏光方向と平行であり、保護フィルムのファスト軸方向が、第１の偏光子の偏光方向に対して垂直である。代替的に、第１の偏光子の偏光方向と、保護フィルムのファスト軸方向及びスロー軸方向のそれぞれとの間に４５°の角度が存在する。
2021513688.tif 000002
【特許請求の範囲】
【請求項１】
保護フィルムであって、前記保護フィルムが複屈折効果によって特徴づけられ、前記保護フィルムが電子デバイスのタッチスクリーンに取り付けられ、
前記保護フィルムのファスト軸方向が、前記電子デバイスの前記タッチスクリーンにおける第１の偏光子の偏光方向と平行であり、前記保護フィルムのスロー軸方向が、前記第１の偏光子の前記偏光方向に対して垂直であるか、または、前記保護フィルムのスロー軸方向が、前記電子デバイスの前記タッチスクリーンにおける第１の偏光子の偏光方向と平行であり、前記保護フィルムのファスト軸方向が、前記第１の偏光子の前記偏光方向に対して垂直であるか、または、前記電子デバイスの前記タッチスクリーンにおける第１の偏光子の偏光方向と、前記保護フィルムのファスト軸方向及びスロー軸方向のそれぞれとの間に４５°の角度が存在する、保護フィルム。
【請求項２】
前記第１の偏光子の前記偏光方向と、前記保護フィルムの前記ファスト軸方向及び前記スロー軸方向のそれぞれとの間に４５°の角度が存在する場合に、前記保護フィルムの厚さが、以下の方程式、
（ｎｆａｓｔ−ｎｓｌｏｗ）＊Ｔ＝１／２＊ｍ＊λを満たし、
ｎｆａｓｔが前記保護フィルムの前記ファスト軸方向の屈折率であり、ｎｓｌｏｗが前記保護フィルムの前記スロー軸方向の屈折率であり、Ｔが前記保護フィルムの厚さであり、ｍが正の整数であり、λが屈折率である、請求項１に記載の保護フィルム。
【請求項３】
前記電子デバイスが、アンダーディスプレイ指紋認識をサポートする、請求項１または２に記載の保護フィルム。
【請求項４】
前記保護フィルムが、ポリエチレンテレフタレートＰＥＴフィルムである、請求項１から３のいずれか一項に記載の保護フィルム。
【請求項５】
保護フィルムを切断するための方法であって、
入射光が、第２の偏光子及び前記第２の偏光子と平行な回転された保護フィルムを通って第３の偏光子に到達し、前記第３の偏光子を通過した際に生じる透過光のパワーを検出する段階であって、前記第２の偏光子及び前記第３の偏光子が同じ偏光方向を有し、前記保護フィルムが複屈折効果によって特徴づけられる、透過光のパワーを検出する段階と、
前記透過光のパワーに基づいて、前記保護フィルムの第１のファスト軸方向または第１のスロー軸方向を決定する段階と、
切断された保護フィルムを得るために、前記第１のファスト軸方向または前記第１のスロー軸方向に沿って前記保護フィルムを切断する段階と、を含む、方法。
【請求項６】
前記透過光のパワーに基づいて前記保護フィルムの第１のファスト軸方向または第１のスロー軸方向を決定する段階が、
前記透過光の最大パワーに対応している前記保護フィルムのファスト軸方向を、前記第１のファスト軸方向として決定する段階、または前記透過光の最大パワーに対応している前記保護フィルムのスロー軸方向を、前記第１のスロー軸方向として決定する段階を含む、請求項５に記載の方法。
【請求項７】
前記保護フィルムがポリエチレンテレフタレートＰＥＴフィルムである、請求項５または６に記載の方法。
【請求項８】
電子デバイスであって、前記電子デバイスがアンダーディスプレイ指紋認識をサポートし、請求項１から４のいずれか一項に記載の保護フィルムが、前記電子デバイスのスクリーンに取り付けられた、電子デバイス。
【請求項９】
保護フィルムを切断するための装置であって、
入射光が第２の偏光子及び第２の偏光子と平行な回転された保護フィルムを通して第３の偏光子に到達し、前記第３の偏光子を通過した際に生じる透過光のパワーを検出するように構成された、検出ユニットであって、前記第２の偏光子及び前記第３の偏光子が同じ偏光方向を有し、前記保護フィルムが複屈折効果によって特徴づけられた、検出ユニットと、
前記透過光のパワーに基づいて、前記保護フィルムの第１のファスト軸方向または第１のスロー軸方向を決定するように構成された、決定ユニットと、
切断された保護フィルムを得るために、前記第１のファスト軸方向または前記第１のスロー軸方向に沿って前記保護フィルムを切断するように構成された、切断ユニットと、を含む、装置。
【請求項１０】
前記決定ユニットが、具体的に、
前記透過光の最大パワーに対応している前記保護フィルムのファスト軸方向を前記第１のファスト軸方向として決定するか、または、前記透過光の最大パワーに対応している前記保護フィルムのスロー軸方向を前記第１のスロー軸方向として決定するように構成された、請求項９に記載の装置。
【請求項１１】
前記保護フィルムが、ポリエチレンテレフタレートＰＥＴフィルムである、請求項９または１０に記載の装置。
【請求項１２】
電子デバイスであって、前記電子デバイスがアンダーディスプレイ指紋認識をサポートし、保護フィルムが、前記電子デバイスのタッチスクリーンに取り付けられ、前記保護フィルムが、第１の軸及び第２の軸を含み、前記第１の軸が、前記第２の軸に対して垂直であり、
前記保護フィルムの前記第１の軸が、前記電子デバイスの前記タッチスクリーンにおける第１の偏光子の偏光方向と平行であり、前記保護フィルムの前記第２の軸が前記電子デバイスの前記タッチスクリーンにおける前記第１の偏光子の前記偏光方向に対して垂直であるか、または、
前記保護フィルムの前記第２の軸が、前記電子デバイスの前記タッチスクリーンにおける第１の偏光子の偏光方向と平行であり、前記保護フィルムの前記第１の軸が、前記電子デバイスの前記タッチスクリーンにおける前記第１の偏光子の偏光方向に対して垂直であるか、または
第１の偏光子の偏光方向と、前記保護フィルムの前記第１の軸及び前記第２の軸のそれぞれとの間に４５°の角度が存在する、電子デバイス。
【請求項１３】
前記第１の偏光子の前記偏光方向と、前記保護フィルムの前記第１の軸及び前記第２の軸のそれぞれとの間に４５°の角度が存在する場合に、前記保護フィルムの厚さが以下の方程式、
（ｎｆａｓｔ−ｎｓｌｏｗ）＊Ｔ＝１／２＊ｍ＊λを満たし、
ｎｆａｓｔが前記保護フィルムのファスト軸方向の屈折率であり、ｎｓｌｏｗが前記保護フィルムのスロー軸方向の屈折率であり、Ｔが前記保護フィルムの厚さであり、ｍが正の整数であり、λが屈折率である、請求項１２に記載の保護フィルム。
【請求項１４】
前記保護フィルムがポリエチレンテレフタレートＰＥＴフィルムである、請求項１２または１３に記載の電子デバイス。
【請求項１５】
前記第１の軸がファスト軸であり、前記第２の軸がスロー軸である、請求項１２から１４のいずれか一項に記載の電子デバイス。
【請求項１６】
前記タッチスクリーンにおける前記第１の偏光子が、前記電子デバイスの発光素子によって放出される光が、前記光が前記保護フィルムに到達するプロセスにおいて通過する最後の偏光子である、請求項１２から１５のいずれか一項に記載の電子デバイス。
【請求項１７】
前記電子デバイスが、携帯電話、腕時計、または眼鏡である、請求項１２から１６のいずれか一項に記載の電子デバイス。
【発明の詳細な説明】
【技術分野】
【０００１】
本出願は、２０１８年２月１３日に中国国家知識産権局に出願され、「保護フィルム並びに、保護フィルムを切断するための方法及び装置」と題する中国特許出願第２０１８１０１５０５７５．Ｘ号並びに、２０１８年３月１日に中国国家知識産権局に出願され、「保護フィルム並びに、保護フィルムを切断するための方法及び装置」と題する中国特許出願第２０１８１０１７０８４８．７号の優先権を主張し、これらは参照によりその全体が本明細書に組み込まれている。
【０００２】
本出願は端末の分野、より具体的には、端末分野における保護フィルム並びに、保護フィルムを切断するための方法及び装置に関する。
【背景技術】
【０００３】
近年、電子デバイスの発展に伴い、使用者は、通常、電子デバイスのスクリーンを保護するためにフィルムを貼る、例えば保護フィルムを電子デバイスのスクリーン上に取り付ける。しかし、保護フィルムの中には複屈折効果によって特徴づけられるものがある。したがって、光が保護フィルムを通過すると、光の偏光特性が変化する。例えば、ポリエチレンテレフタレート（ｐｏｌｙｅｔｈｙｌｅｎｅ  ｔｅｒｅｐｈｔｈａｌａｔｅ，ＰＥＴ）フィルムは、製造時に押出成型、カレンダリング、二軸延伸を経て形成されるが、二軸延伸により実行されるフィルム形成は、異方性や結晶化につながる。この場合、複屈折効果が発生する。ＰＥＴフィルムを光が通過すると、光の偏光特性が変化する。この場合、電子デバイスの光学センサによって実行される使用者識別の動作が影響を受ける。例えば、光学センサによって実行される使用者の指紋認識が影響を受ける。したがって、保護フィルムが電子デバイスのスクリーンに取り付けられたときに、電子デバイスが受ける影響がより少ない保護フィルムが急務となっている。
【発明の概要】
【課題を解決するための手段】
【０００４】
本出願の実施形態は、電子デバイスへの影響を低減するために、保護フィルムと、保護フィルムを切断するための方法及び装置と、を提供する。
【０００５】
第１の態様によれば、保護フィルムが提供される。保護フィルムは複屈折効果によって特徴づけられ、保護フィルムは電子デバイスのスクリーンに取り付けられる。
【０００６】
保護フィルムのファスト軸方向は、電子デバイスのタッチスクリーンの第１の偏光子の偏光方向と平行であり、保護フィルムのスロー軸方向は、第１の偏光子の偏光方向に対して垂直である。代替的に、保護フィルムのスロー軸方向は、第１の偏光子の偏光方向と平行であり、保護フィルムのファスト軸方向は、第１の偏光子の偏光方向に対して垂直である。代替的に、第１の偏光子の偏光方向と、保護フィルムのファスト軸方向及びスロー軸方向のそれぞれとの間に４５°の角度が存在する。
【０００７】
本出願のこの実施形態において、保護フィルムのファスト軸方向がタッチスクリーンの第１の偏光子の偏光方向と平行であり、保護フィルムのスロー軸方向が第１の偏光子の偏光方向に対して垂直である場合、保護フィルムのスロー軸方向は透過光の偏光方向を変化させず、入射光の偏光方向は、保護フィルムのファスト軸方向と平行である。したがって、入射光が保護フィルムを通過する際の偏光状態は変化せず、電子デバイスの保護フィルムの影響が低減される。これは使用者の体験の向上を支援する。保護フィルムのファスト軸方向がタッチスクリーンの第１の偏光子の偏光方向に対して垂直であり、保護フィルムのスロー軸方向が第１の偏光子の偏光方向と平行である場合、保護フィルムのファスト軸方向は入射光の偏光方向を変化させず、透過光の偏光方向は保護フィルムのスロー軸方向と平行である。したがって、入射光が保護フィルムを通過する際の偏光状態は変化せず、電子デバイスへの保護フィルムの影響が低減される。これは、使用者の体験の向上を支援する。第１の偏光子の偏光方向と、保護フィルムのファスト軸方向及びスロー軸方向のそれぞれとの間に４５°の角度が存在する場合、保護フィルムのファスト軸方向及びスロー軸方向は入射光の強度を変化させず、電子デバイスへの保護フィルムの影響が低減される。
【０００８】
任意選択的に、第１の偏光子は、電子デバイスの保護フィルムに最も近い偏光子であり、または第１の偏光子は、電子デバイスの発光素子によって放出された光が、光が保護フィルムに到達するプロセスにおいて通過する最後の偏光子である。
【０００９】
任意選択的に、保護フィルムは、複屈折効果によって特徴づけられる任意の保護フィルムでありうる。
【００１０】
いくつかの実施例において、第１の偏光子の偏光方向と、保護フィルムのファスト軸方向及びスロー軸方向のそれぞれとの間に４５°の角度が存在する場合、保護フィルムの厚さは以下の方程式を満たす。
（ｎｆａｓｔ−ｎｓｌｏｗ）＊Ｔ＝１／２＊ｍ＊λ
ここで、ｎｆａｓｔは保護フィルムのファスト軸方向の屈折率であり、ｎｓｌｏｗは保護フィルムのスロー軸方向の屈折率であり、Ｔは保護フィルムの厚さであり、ｍは正の整数であり、λは屈折率である。
【００１１】
いくつかの実施例において、電子デバイスはアンダーディスプレイ指紋認証をサポートする。
【００１２】
いくつかの実施例において、保護フィルムはＰＥＴフィルムである。
【００１３】
いくつかの実施例において、保護フィルムは複屈折効果によって特徴づけられる複合フィルムでありうる。例えば、複合フィルムは、ＰＥＴフィルム及びＴＰＵフィルムを含む複合材料フィルムでありうる。
【００１４】
第２の態様によれば、保護フィルムを切断するための方法が提供され、本方法は、入射光が第２の偏光子及び第２の偏光子と平行な回転された保護フィルムを順に通過して第３の偏光子に到達し、第３の偏光子を通過する際に生成される透過光のパワーを検出する段階であって、第２の偏光子及び第３の偏光子が同じ偏光方向を有し、保護フィルムが複屈折率効果によって特徴づけられる、透過光のパワーを検出する段階と、透過光のパワーに基づいて保護フィルムの第１のファスト軸方向または第１のスロー軸方向を決定する段階と、第１のファスト軸方向または第１のスロー軸方向に沿って保護フィルムを切断し、切断された保護フィルムを得る段階と、を含む。
【００１５】
従って、本出願のこの実施形態において、入射光は同じ偏光方向を有する２つの偏光子を通過し、透過光のパワーは、保護フィルムの切断プロセスにおいて考慮される。このようにして、保護フィルムの第１のファスト軸方向及び第１のスロー軸方向が決定される際に、透過光への影響が最小になる方向は、可能な限り保護フィルムのファスト軸方向及びスロー軸方向として選択されてもよく、保護フィルムは、保護フィルムの大きさにおける要求に基づいて、第１のファスト軸方向及び第１のスロー軸方向に沿って切断される。これは、電子デバイスへの保護フィルムの影響の低減を支援する。
【００１６】
任意選択的に、第２の偏光子の偏光方向は、電子デバイスの第１の偏光子の偏光方向と同じである。
【００１７】
任意選択的に、第２の偏光子は第３の偏光子と平行であり、第２の偏光子は第３の偏光子の上に投影されうる。
【００１８】
いくつかの実施形態において、透過光のパワーに基づいて保護フィルムの第１のファスト軸方向または第１のスロー軸方向を決定する段階は、透過光の最大パワーに対応している保護フィルムのファスト軸方向を第１のファスト軸方向として決定する段階、または透過光の最大パワーに対応している保護フィルムのスロー軸方向を第１のスロー軸方向として決定する段階を含む。
【００１９】
このようにして、保護フィルムの切断方向が決定される際に、透過光の最大パワーに対応している保護フィルムのファスト軸方向が第１のファスト軸方向として選択され、最大透過光パワーに対応している保護フィルムのスロー軸方向が、第１のスロー軸方向として選択される。換言すれば、電子デバイスへの影響は、保護フィルムが保護フィルムのサイズに対する要求に基づいて第１のファスト軸方向または第１のスロー軸方向に沿って切断される場合に最小になる。
【００２０】
任意選択的に、透過光のより高いパワーに対応している保護フィルムのファスト軸方向が、代替的に第１のファスト軸方向として決定されうる。任意選択的に、透過光のより高いパワーに対応している保護フィルムのスロー軸方向が、代替的に第１のスロー軸方向として決定されうる。これは、本出願のこの実施形態に限定されない。
【００２１】
任意選択的に、保護フィルムの回転方向は、透過光のパワーの状態の変化に基づいて決定されうる。例えば、透過光のパワーが、保護フィルムが時計回りに回転すると次第に減少する場合、保護フィルムの回転方向は反時計回りに変更されうる。
【００２２】
いくつかの実施例において、保護フィルムの第１のファスト軸方向または第１のスロー軸方向が決定された後、第１のファスト軸方向は第２の偏光子の偏光方向と平行であり、第１のスロー軸方向は第２の偏光方向に対して垂直であるか、または第１のファスト軸方向が第２の偏光子の偏光方向に対して垂直であり、第１のスロー軸方向が第２の偏光子の偏光方向と平行である。
【００２３】
いくつかの実施例において、保護フィルムの第１のファスト軸方向または第１のスロー軸方向が決定された後、第２の偏光子の偏光方向と、第１のファスト軸方向及び第１のスロー軸方向のそれぞれとの間に４５°の角度が存在し、切断された保護フィルムの厚さは、以下の方程式を満たす。
（ｎｆａｓｔ−ｎｓｌｏｗ）＊Ｔ＝１／２＊ｍ＊λ
ここで、ｎｆａｓｔは保護フィルムのファスト軸方向の屈折率であり、ｎｓｌｏｗは保護フィルムのスロー軸方向の屈折率であり、Ｔは保護フィルムの厚さであり、ｍは正の整数であり、λは屈折率である。
【００２４】
いくつかの実施例において、切断された保護フィルムは、アンダーディスプレイ指紋認証をサポートする電子デバイスのスクリーンに取り付けられ、電子デバイスのタッチスクリーンの第１の偏光子は、第２の偏光子と同じ偏光方向を有する。
【００２５】
本出願のこの実施形態において、切断された保護フィルムは、アンダーディスプレイ指紋認証をサポートする電子デバイスのスクリーンに取り付けられ、タッチスクリーンの第１の偏光子は、第２の偏光子と同じ偏光方向を有する。このようにして、切断された保護フィルムが電子デバイスに取り付けられると、切断された保護フィルムは指紋認証効果に影響を与えず、または指紋認証効果への保護フィルムの影響が低減されうる。
【００２６】
いくつかの実施例において、保護フィルムはＰＥＴフィルムである。
【００２７】
いくつかの実施例において、保護フィルムは複屈折効果によって特徴づけられる複合フィルムでありうる。例えば、複合フィルムは、ＰＥＴフィルム及びＴＰＵフィルムを含む複合材料フィルムでありうる。
【００２８】
第３の態様によれば、電子デバイスが提供される。電子デバイスはアンダーディスプレイ指紋認証をサポートし、第２の態様または第２の態様の可能な実施例のいずれか１つに従う保護フィルムは、電子デバイスのスクリーンに取り付けられる。
【００２９】
第４の態様によれば、保護フィルムを切断するための装置が提供され、本装置は、入射光が第２の偏光子及び第２の偏光子と平行な回転された保護フィルムを通過して第３の偏光子に到達し、第３の偏光子を透過する際に生成される透過光のパワーを検出するように構成された検出ユニットであって、第２の偏光子及び第３の偏光子が同じ偏光方向を有し、保護フィルムが複屈折効果によって特徴づけられる、検出ユニットと、透過光のパワーに基づいて保護フィルムの第１のファスト軸方向または第１のスロー軸方向を決定するように構成された決定ユニットと、第１のファスト軸方向または第１のスロー軸方向に沿って保護フィルムを切断し、切断された保護フィルムを得るように構成された切断ユニットと、を含む。
【００３０】
いくつかの実施例において、決定ユニットは具体的に、透過光の最大パワーに対応している保護フィルムのファスト軸方向を第１のファスト軸方向として決定するか、または透過光の最大パワーに対応している保護フィルムのスロー軸方向を第１のスロー軸方向として決定するように構成される。
【００３１】
いくつかの実施例において、保護フィルムの第１のファスト軸方向または第１のスロー軸方向が決定された後、第１のファスト軸方向は第２の偏光子の偏光方向と平行であり、第１のスロー軸方向は第２の偏光子の偏光方向に対して垂直であるか、または第１のファスト軸方向は第２の偏光子の偏光方向に対して垂直であり、第１のスロー軸方向は第２の偏光子の偏光方向と平行である。
【００３２】
いくつかの実施例において、保護フィルムの第１のファスト軸方向または第１のスロー軸方向が決定された後、第２の偏光子の偏光方向と第１のファスト軸方向及び第１のスロー軸方向のそれぞれとの間に４５°の角度が存在し、切断された保護フィルムの厚さは以下の方程式を満たす。
（ｎｆａｓｔ−ｎｓｌｏｗ）＊Ｔ＝１／２＊ｍ＊λ
ここで、ｎｆａｓｔは保護フィルムのファスト軸方向の屈折率であり、ｎｓｌｏｗは保護フィルムのスロー軸方向の屈折率であり、Ｔは保護フィルムの厚さであり、ｍは正の整数であり、λは屈折率である。
【００３３】
いくつかの実施例において、切断された保護フィルムはアンダーディスプレイ指紋認証をサポートする電子デバイスのスクリーンに取り付けられ、電子デバイスのタッチスクリーンの第１の偏光子は、第２の偏光子と同じ偏光方向を有する。
【００３４】
いくつかの実施例において、保護フィルムはＰＥＴフィルムである。
【００３５】
第５の態様によれば、コンピュータ可読ストレージ媒体が提供される。コンピュータ可読ストレージ媒体は命令を保存し、命令がコンピュータ上で実行されると、コンピュータは、第１の態様または第１の態様の任意の可能な実施例に従う方法を実行することができるようにされる。
【００３６】
第６の態様によれば、命令を含むコンピュータプログラム製品が提供される。コンピュータプログラム製品がコンピュータ上で実行されると、コンピュータは、第１の態様または第１の態様の任意の可能な実施例に従う方法を実行することができるようにされる。
【００３７】
第７の態様によれば、電子デバイスが提供される。電子デバイスはアンダーディスプレイ指紋認証をサポートし、保護フィルムは、電子デバイスのタッチスクリーンに取り付けられ、保護フィルムは第１の軸及び第２の軸を含み、第１の軸は第２の軸に対して垂直であり、
保護フィルムの第１の軸は電子デバイスのタッチスクリーンの第１の偏光子の偏光方向と平行であり、保護フィルムの第２の軸は、電子デバイスのタッチスクリーンの第１の偏光子の偏光方向に対して垂直であり、または、
保護フィルムの第２の軸は電子デバイスのタッチスクリーンの第１の偏光子の偏光方向と平行であり、保護フィルムの第１の軸は電子デバイスのタッチスクリーンの第１の偏光子の偏光方向に対して垂直であり、または、
第１の偏光子の偏光方向と、保護フィルムの第１の軸及び第２の軸のそれぞれとの間に４５°の角度が存在する。
【００３８】
いくつかの実施例において、第１の偏光子の偏光方向と、保護フィルムの第１の軸及び第２の軸のそれぞれとの間に４５°の角度が存在する場合、保護フィルムの厚さは以下の方程式を満たす。
（ｎｆａｓｔ−ｎｓｌｏｗ）＊Ｔ＝１／２＊ｍ＊λ
ここで、ｎｆａｓｔは保護フィルムのファスト軸方向の屈折率であり、ｎｓｌｏｗは保護フィルムのスロー軸方向の屈折率であり、Ｔは保護フィルムの厚さであり、ｍは正の整数であり、λは屈折率である。
【００３９】
いくつかの実施例において、保護フィルムはポリエチレンテレフタレートＰＥＴフィルムである。
【００４０】
いくつかの実施例において、第１の軸はファスト軸であり、第２の軸はスロー軸である。
【００４１】
いくつかの実施例において、タッチスクリーンの第１の偏光子は、電子デバイスの発光素子によって放出された光が、光が保護フィルムに到達するプロセスにおいて通過する最後の偏光子である。
【００４２】
前述の実施例において、電子デバイスは、携帯電話、腕時計または眼鏡でありうる。
【図面の簡単な説明】
【００４３】
【図１】本出願の実施形態に係るアンダーディスプレイ指紋認識技術の原理の概略図である。
【図２】本出願の実施形態に係るアンダーディスプレイ指紋認識技術をサポートする電子デバイスの概略図である。
【図３】本出願の実施形態に係る偏光子の偏光方向の概略図である。
【図４】本出願の実施形態に係る保護フィルムを切断するための方法の概略図である。
【図５】本出願の実施形態に係る透過光のパワー検出の概略図である。
【図６】本出願の実施形態に係る電子デバイスのスクリーン上に取り付けられた保護フィルムの概略図である。
【図７】従来技術の保護フィルムが携帯電話に取り付けられた場合の光学経路の概略図である。
【図８】本出願の実施形態に係る保護フィルムが携帯電話に取り付けられたときの光学経路の概略図である。
【図９】本出願の実施形態に係る保護フィルムを切断するための装置の概略的なブロック図である。
【図１０】本出願の実施形態に係る保護フィルムを切断するための別の装置の概略的なブロック図である。
【発明を実施するための形態】
【００４４】
以下に、添付した図面を参照して本出願の実施形態における技術的解決手段を説明する。
【００４５】
可能な用途のシナリオでは、本出願の実施形態における切断された保護フィルムは、アンダーディスプレイ指紋認識技術をサポートすることが可能な電子デバイスのスクリーン上に取り付けられる。
【００４６】
以下、アンダーディスプレイ指紋認識技術の原理を説明する。
【００４７】
図１に示すように、アンダーディスプレイ指紋認識技術は以下の段階を含む。タッチスクリーン１２０によって放出された光が指１１０に入射する。指１１０の指紋が光を反射する。指１１０の指紋から反射された光１２５が、タッチスクリーン１２０内の光透過性ギャップを通過し、レンズ１３０の収束効果の下でセンサアレイ１４０に入射する。そして、センサアレイ１４０のセンサ１４１が、センサ１４１に入射した光学信号を電気信号に変換し、指紋データを生成する。
【００４８】
以下、アンダーディスプレイ指紋認識技術をサポートする電子デバイスを説明する。
【００４９】
図２に示されるように、アンダーディスプレイ指紋認識技術をサポートする電子デバイスは、タッチスクリーン（スクリーンとも呼ばれる）及び光学センサモジュールを含む。光学センサモジュールは、タッチスクリーンの下に配置される。具体的には、タッチスクリーンは、光学センサの平面と平行またはほぼ平行である。タッチスクリーン上の光学センサモジュールの投影は第１の領域に配置され、第１の領域は、タッチスクリーンの領域の一部または全てである。タッチスクリーンは、上部にタッチセンシング層を有するタッチセンシングスクリーンモジュールと、タッチセンシングスクリーンモジュールの下に配置されたタッチスクリーンモジュールと、を含む。光学センサモジュールは、レンズ及びセンサアレイを含みうる。光学センサモジュールはタッチスクリーンモジュールに結合され、タッチスクリーンの下に配置され、タッチセンシングスクリーンモジュールの上面から戻った光を受信及び取得し、戻った光を光学センシング画素または光電検出器の光学センサアレイにイメージングする。光学センサモジュールは、戻った光の光学イメージをさらなる処理のために画素信号に変換しうる。
【００５０】
タッチスクリーンモジュールは、通常、発光原理によって、液晶ディスプレイ（ｌｉｑｕｉｄ  ｃｒｙｓｔａｌ  ｄｉｓｐｌａｙ，ＬＣＤ）スクリーン及び有機発光ダイオード（ｏｒｇａｎｉｃ  ｌｉｇｈｔ  ｅｍｉｔｔｉｎｇ  ｄｉｏｄｅ，ＯＬＥＤ）タッチスクリーンに分類される。光の偏光方向を制御するために、偏光子がＬＣＤスクリーン及びＯＬＥＤスクリーンに追加される。したがって、タッチスクリーンモジュールの出射光は全て偏光特性を有する。電子デバイスの発展に伴い、電子デバイスのスクリーンが汚れたり損傷したりするのを防ぐために、使用者は通常、電子デバイスのスクリーンを保護するために電子デバイスのスクリーンに保護フィルムを取り付ける。例えば、使用者は、強化ガラスフィルム、熱可塑性ポリウレタン（ｔｈｅｒｍｏｐｌａｓｔｉｃ  ｐｏｌｙｕｒｅｔｈａｎｅｓ，ＴＰＵ）フィルム、またはＰＥＴフィルムを取り付けうる。ＰＥＴフィルムは、製造時に押出成形、カレンダリング、及び二軸延伸を経て形成されるが、二軸延伸により行われるフィルム形成は、異方性及び結晶化につながる。この場合、複屈折効果が生じる。タッチスクリーンからの光がＰＥＴフィルムを通過すると、偏光特性が変化する。指から反射された光が偏光子を再び通過すると、光の一部が遮断され、光学信号を弱めることとなる。この場合、電子デバイスによって実行されるユーザー認識の動作が影響を受ける。例えば、ＰＥＴフィルムは四分の一波長板の効果を有する。光が保護フィルムを通過して指の表面に到達した後に反射して戻ると、光の偏光方向は適切に９０°回転する。この場合、光は偏光子によって完全に遮断され、偏光子を通過することができず、そのため光学センサは指紋データを取得することができない。したがって、アンダーディスプレイ指紋認識技術の用途が限定される。
【００５１】
本出願の実施形態において、偏光子は入射光を遮蔽する機能及び透過させる機能を有する。例えば、横波の場合、偏光方向は伝搬方向に対して垂直である。図３に示されるように、偏光子を通過する入射光の伝搬方向はＫであり、偏光方向はＥである。
【００５２】
本出願の実施形態において、保護フィルムは製造後にファスト軸方向及びスロー軸方向を有する。保護フィルムにおいて、伝搬速度が遅い光ベクトル（Ｌｉｇｈｔ  ｖｅｃｔｏｒ）方向はスロー軸であり、高い伝搬速度を有する光ベクトル方向はファスト軸である。
【００５３】
前述の課題を参照して、本出願の実施形態は、保護フィルムを切断するための方法を提供する。本方法によれば、保護フィルムの第１のファスト軸方向及び第１のスロー軸方向は、同じ偏光方向を有する２つの偏光子及び２つの偏光子の間の保護フィルムを通過する透過光のパワーに基づいて決定される。例えば、より高い、もしくは最大の透過光パワーに対応している保護フィルムのファスト軸方向は、第１のファスト軸方向として決定されうる。または、より高い、もしくは最大の透過光パワーに対応している保護フィルムのスロー軸方向は、第１のスロー軸方向として決定されうる。この場合、切断された保護フィルムの大きさにおける要求が既知であることを前提として、第１のファスト軸方向または第１のスロー軸方向に沿って保護フィルムを切断することは、より高い、または最大の透過光パワーを生じる第１のファスト軸方向または第１のスロー軸方向に沿って保護フィルムを切断することと等価である。すなわち、保護フィルムの回転の間、入射光が保護フィルムを通過した後、入射光に対する影響が最小である方向は、保護フィルムの第１のファスト軸方向または第１のスロー軸方向であり、電子デバイスのタッチスクリーンにおける偏光子の偏光方向は、切断における２つの偏光子の偏光方向と同じである。このようにして、切断された保護フィルムが電子デバイスに取り付けられた際に、指紋データへの影響が低減される。
【００５４】
以下、本出願の実施形態に従う保護フィルムを切断するための方法２００を、図４を参照して説明する。方法２００は、以下のステップを含む。
【００５５】
Ｓ２１０。入射光が第２の偏光子及び、第２の偏光子と平行な回転された保護フィルムを通って第３の偏光子に到達し、第３の偏光子を通過した際に生じる透過光のパワーを検出する段階であって、第２の偏光子及び第３の偏光子が同じ偏光方向を有し、保護フィルムが複屈折効果によって特徴づけられる。
【００５６】
任意選択的に、保護フィルムは、複屈折効果によって特徴づけられる任意の保護フィルムでありうる。例えば、保護フィルムはＰＥＴフィルム、または複屈折効果によって特徴づけられた複合フィルムでありうる。例えば、複合フィルムは、ＰＥＴフィルム及びＴＰＵフィルムを含む複合材料フィルムである。複屈折効果は、保護フィルムの材料の特性によって引き起こされる。複屈折効果は、第１のファスト軸及び第１のスロー軸によって生じうる。
【００５７】
任意選択的に、第２の偏光子及び第３の偏光子は、直線偏光子でありうる。
【００５８】
任意選択的に、第２の偏光子及び第３の偏光子は同じ偏光方向を有し、第２の偏光子を通過する入射光の伝搬方向は、第３の偏光子を通過する入射光のそれと同じである。
【００５９】
第２の偏光子、保護フィルム及び第３の偏光子は、互いに平行である。
【００６０】
Ｓ２２０。透過光のパワーに基づいて、保護フィルムの第１のファスト軸方向または第１のスロー軸方向を決定する。
【００６１】
本出願のこの実施形態において、保護フィルムは第２の偏光子と平行に回転しているが、保護フィルムのファスト軸方向及びスロー軸方向は一定に変化している。Ｓ２２０において、第１のファスト軸方向及び第１のスロー軸方向は、一定に変化している保護フィルムのファスト軸方向及びスロー軸方向において決定される必要がある。
【００６２】
任意選択的な実施形態において、Ｓ２２０は、透過光の最大パワーに対応している保護フィルムのファスト軸方向を第１のファスト軸方向として決定する、または透過光の最大パワーに対応している保護フィルムのスロー軸方向を第１のスロー軸方向として決定することを含む。任意選択的に、透過光のより高いパワーに対応している保護フィルムのファスト軸方向が、第１のファスト軸方向として決定される、または透過光のより高いパワーに対応している保護フィルムのスロー軸方向が、第１のスロー軸方向として決定される。
【００６３】
任意選択的に、最大透過光パワーは、保護フィルムが１８０°回転された後にのみ決定可能である。任意選択的に、透過光のパワーは次第に増大し、次いで次第に減少する場合、この変化プロセスにおける透過光の最大パワーに対応している保護フィルムのファスト軸方向が、第１のファスト軸方向として決定されうる、またはこの変化プロセスにおける透過光の最大パワーに対応している保護フィルムのスロー軸方向が、第１のスロー軸方向として決定されうる。
【００６４】
例えば、図５に示されるように、入射光が第２の偏光子を通過し、次いで回転する保護フィルムを通過し、最後に第３の偏光子を通過する。最後に第３の偏光子を通過する透過光のパワーが検出され、保護フィルムの第１のファスト軸方向または第１のスロー軸方向が、透過光のパワーに基づいて決定される。例えば、透過光の最大パワーに対応している保護フィルムのファスト軸方向が、第１のファスト軸方向として決定されてもよく、または透過光の最大パワーに対応している保護フィルムのスロー軸方向が、第１のスロー軸方向として決定されてもよい。図５において、Ｋは、第２の偏光子及び第３の偏光子を通過する入射光の伝搬方向であり、Ｅは、第２の偏光子及び第３の偏光子を通過する入射光の偏光方向である。
【００６５】
任意選択的な実施形態において、本方法はさらに、透過光のパワーに基づいて、保護フィルムの回転方向を決定する段階を含む。例えば、透過光のパワーが次第に減少する場合、保護フィルムの回転方向が変更されうる。透過光のパワーが次第に増大する場合、保護フィルムの回転方向は変更されなくてもよい。例えば、保護フィルムが第２の偏光子に対して平行な面内で時計回りに回転している場合に透過光のパワーが次第に減少する場合、保護フィルムは第２の偏光子に対して平行な面内で反時計回りに回転する。
【００６６】
透過光の最大パワーに対応している保護フィルムのファスト軸方向が第１のファスト軸方向として決定され、または透過光の最大パワーに対応している保護フィルムのスロー軸方向が第１のスロー軸方向として決定された後、第１のファスト軸方向または第１のスロー軸方向と、第２の偏光子の偏光方向との間の関係は、以下のいくつかの場合を含みうる。
【００６７】
第１の場合において、第１のファスト軸方向は第２の偏光子の偏光方向と平行であり、第１のスロー軸方向は第２の偏光子の偏光方向に対して垂直であり、第１のファスト軸方向は第１のスロー軸方向に対して垂直である。この場合、入射光が第２の偏光子を通過し、次いで保護フィルムを通過すると、第１のスロー軸方向は透過光の偏光方向を変化させず、透過光の偏光方向は第１のファスト軸方向と平行である。したがって、入射光が保護フィルムを通過する場合の偏光状態は変化しない。
【００６８】
第２の場合において、第１のファスト軸方向は第２の偏光子の偏光方向に対して垂直であり、第１のスロー軸方向は第２の偏光子の偏光方向と平行であり、第１のファスト軸方向が第１のスロー軸方向に対して垂直である。この場合、入射光が第２の偏光子を通過し、次いで保護フィルムを通過すると、第１のファスト軸方向は透過光の偏光方向を変化させず、透過光の偏光方向は第１のスロー軸方向と平行である。したがって、入射光が保護フィルムを通過する際の偏光状態は変化しない。
【００６９】
第３の場合において、第２の偏光子の偏光方向と、第１のファスト軸方向及び第１のスロー軸方向のそれぞれとの間に４５°の角度が存在し、切断された保護フィルムの厚さは以下の方程式を満たす。
（ｎｆａｓｔ−ｎｓｌｏｗ）＊Ｔ＝１／２＊ｍ＊λ
ここで、ｎｆａｓｔは保護フィルムのファスト軸方向の屈折率であり、ｎｓｌｏｗは保護フィルムのスロー軸方向の屈折率であり、Ｔは保護フィルムの厚さであり、ｍは正の整数であり、λは屈折率である。保護フィルムのファスト軸方向は、保護フィルムのスロー軸方向に対して垂直である。
【００７０】
Ｓ２３０。保護フィルムを第１のファスト軸方向または第１のスロー軸方向に沿って切断し、切断された保護フィルムを得る。
【００７１】
具体的には、第１のファスト軸方向または第１のスロー軸方向が決定された後、保護フィルムは、保護フィルムの切断大きさに基づいて切断されうる。例えば、電子デバイスのスクリーンサイズが固定され、第１のファスト軸方向または第１のスロー軸方向が決定された後に切断サイズも固定される。この場合、保護フィルムは、第１のファスト軸方向または第１のスロー軸方向に沿った切断サイズに基づいて切断され、切断された保護フィルムを得る。切断された保護フィルムは、電子デバイスのスクリーンに取り付けられる。
【００７２】
任意選択的に、保護フィルムはＰＥＴフィルムである。確かに、保護フィルムは、代替的に複屈折効果によって特徴づけられる複合フィルムであってもよい。例えば、複合フィルムは、ＰＥＴフィルムまたはＴＰＵフィルムを含む複合材料フィルムでありうる。
【００７３】
以下に、保護フィルムがＰＥＴフィルムである例を用いて説明を行う。
【００７４】
電子デバイスのタッチスクリーンにおける偏光子の偏光方向は、スクリーンの入射光方向に対して垂直である。図６に示されるように、左の図では電子デバイスのスクリーンの上半分にはＰＥＴフィルムが取り付けられておらず、ほとんど透過光が存在しないことが分かる。ランダムに切断されたＰＥＴフィルムが左の図の電子デバイスのスクリーンの下半分に取り付けられており、透過光の偏光状態がＰＥＴフィルムによって変化されるため、光の一部が透過することが分かる。図６の右側において、右側の図のＰＥＴフィルムは、選択された特定のファスト軸方向またはスロー軸方向に沿って切断された後に、電子デバイスのスクリーンに取り付けられており、フィルムを有する位置とフィルムを有しない位置との間で透過光に明らかな違いが存在しないことが分かる。これは、透過光のパワーに基づいて切断されたＰＥＴフィルムがスクリーンの入射光の偏光状態に影響を及ぼさないことと等価である。したがって、アンダーディスプレイ指紋認識技術において、指から反射された光は、タッチスクリーンを良好に通過して、光学センサモジュールに到達することが可能である。
【００７５】
例えば、図７は、従来技術の保護フィルムが指紋認識技術における携帯電話に取り付けられた場合の光学経路の概略図である。保護フィルムは複屈折効果によって特徴づけられ、偏光子の偏光方向は、紙面に対して平行な水平方向である。光（紙面に対して平行な水平方向の光及び紙面に対して垂直な垂直方向の光を含む）が、偏光子を通過することとなる場合、水平方向の光のみが偏光子を通過することができ、垂直方向の光は偏光子を通過することができない。保護フィルムはランダムに切断されているので、水平方向の光が従来技術のＰＥＴ保護フィルムに到達すると、直線偏光された光は、ＰＥＴフィルムの複屈折効果によって円偏光された光になる。光が指から反射された後再び直線偏光子を通過することとなる場合、垂直方向の光は直線偏光子を通過することができず、指から反射された光のエネルギー損失を生じる。結果的に、指紋データが不正確になる。図８は、本出願の実施形態に従う保護フィルムが指紋認識技術において携帯電話に取り付けられた場合の光学経路の概略図である。保護フィルムは、本出願の実施形態における方法に従って切断される。光が偏光子を通過することとなる場合、水平方向の光のみが偏光子を通過することができ、垂直方向の光は偏光子を通過することができない。保護フィルムのファスト軸方向は偏光子の偏光方向と平行もしくは偏光方向に対して垂直であり、または、保護フィルムのファスト軸方向と偏光子の偏光方向との間には４５度の角度が存在し、または、保護フィルムのスロー軸方向は偏光子の偏光方向と平行もしくは偏光方向に対して垂直であり、または、保護フィルムのスロー軸方向と偏光子の偏光方向との間には４５度の角度が存在する。したがって、水平方向の光が保護フィルムを通過する場合、保護フィルムは、光の偏光状態を変化させず、指から反射した光は依然として水平方向である。そのため、保護フィルムは、指紋データに比較的小さな影響を及ぼすか、または全く影響を及ぼさない。ＬＣＤスクリーンに関して、光はバックライトモジュールによって放出された光であり、ＯＬＥＤスクリーンに関して、光は発光層によって放出された光であることが理解されうる。
【００７６】
表１は、４つのＰＥＴフィルムＡ、Ｂ、Ｃ及びＤを示す。第１の列は４つのＰＥＴフィルムを表す。第２の列は、保護フィルムが電子デバイスに取り付けていない場合の消光率を表す。第３の列は、４つの保護フィルムが、保護フィルムの製造方向に基づいて電子デバイスのスクリーン上に直接取り付けられた場合の消光比を表す。第４の列は、保護フィルムが製造方向に沿って回転された（保護フィルムの中心軸に沿って回転された）特定の角度を表す。第５の列は、特定の角度だけ回転され、次いで切断された後に、保護フィルムが電子デバイスのスクリーンに取り付けられた場合の消光比を表す。消光比は全て、４つの異なるフィルムが特定の角度だけ回転された後に増加することが分かる。
【００７７】
【表１】
2021513688.tif 000003
【００７８】
任意選択的に、切断された保護フィルムは、アンダーディスプレイ指紋認識技術をサポートする電子デバイスのスクリーンに取り付けられる。電子デバイスのタッチスクリーンの第１の偏光子は、第２の偏光子のそれと同じ偏光方向を有する。換言すれば、保護フィルムが切断された場合に使用される第２の偏光子及び第３の偏光子は、電子デバイスのタッチスクリーンにおける第１の偏光子のそれと同じ偏光方向を有する。このようにして、切断された保護フィルムが電子デバイスに取り付けられた場合に、電子デバイスの偏光子の偏光方向は影響を受けないため、指紋認識効果に対する保護フィルムの影響を低減する。任意選択的に、異なる電子デバイスの偏光子が異なる偏光方向を有する場合、異なる電子デバイスのスクリーン上の保護フィルムの切断方向もまた異なりうる。例えば、第１の電子デバイスの第１の偏光子の偏光方向が第１の偏光方向である場合、第２の偏光子及び第３の偏光子の偏光方向もまた第１の偏光方向であり、この場合、保護フィルムのファスト軸方向はファスト軸方向１として決定され、または保護フィルムのスロー軸方向はスロー軸方向１として決定されうる。第２の電子デバイスの第１の偏光子の偏光方向が第２の偏光方向である場合、第２の偏光子及び第３の偏光子の偏光方向もまた第２の偏光方向であり、この場合、保護フィルムのファスト軸方向はファスト軸方向２として決定され、保護フィルムのスロー軸方向はスロー軸方向２として決定されうる。
【００７９】
以下の記載は、図３から８を参照して、本出願の実施形態に従う保護フィルムを切断するための方法を説明する。以下、保護フィルムを説明する。
【００８０】
本出願の実施形態は保護フィルムを提供する。保護フィルムは複屈折効果によって特徴づけられ、保護フィルムは電子デバイスのスクリーンに取り付けられる。保護フィルムのファスト軸方向またはスロー軸方向と、電子デバイスのタッチスクリーンにおける第１の偏光子の偏光方向との間の関係に関して、以下のいくつかの場合がありうる。電子デバイスのタッチスクリーンは、１つまたは複数の偏光子を有する場合があり、第１の偏光子は電子デバイスのスクリーンに近接した偏光子であるか、または第１の偏光子は、電子デバイスの発光素子によって放出された光が、保護フィルムに到達するプロセスにおいて通過する最後の偏光子でありうることは理解されるべきである。ＬＣＤスクリーンを有する電子デバイスに関して、発光素子はバックライトモジュールでありうる。ＯＬＥＤスクリーンを有する電子デバイスに関して、発光素子は発光層によって放出された光でありうる。
【００８１】
任意選択的に、電子デバイスは、スクリーン上の様々な光学認識技術、例えばアンダーディスプレイ指紋認識技術をサポートしうる。アンダーディスプレイ指紋認識技術はまた、不可視指紋認識技術とも称され、指紋認識ロック解除プロセスがスクリーンガラスの下で完了する技術である。アンダーディスプレイ指紋認識技術において、超音波及び光学浸透技術などの浸透技術は、主に、指紋認識を実現するために、様々な異なる材料に浸透するのに使用される。
【００８２】
第１の場合において、保護フィルムのファスト軸方向は電子デバイスのタッチスクリーンの第１の偏光子の偏光方向と平行であり、保護フィルムのスロー軸方向は、電子デバイスのタッチスクリーンの第１の偏光子の偏光方向に対して垂直であり、保護フィルムのファスト軸方向は、保護フィルムのスロー軸方向に対して垂直である。
【００８３】
第２の場合において、保護フィルムのスロー軸方向は、電子デバイスのタッチスクリーンの第１の偏光子の偏光方向と平行であり、保護フィルムのファスト軸方向は、電子デバイスのタッチスクリーンの第１の偏光子の偏光方向に対して垂直であり、保護フィルムのファスト軸方向は、保護フィルムのスロー軸方向に対して垂直である。
【００８４】
第３の場合において、電子デバイスのタッチスクリーンの第１の偏光子の偏光方向と、保護フィルムのファスト軸方向及びスロー軸方向のそれぞれとの間には４５度の角度が存在する。
【００８５】
第３の場合において、保護フィルムの厚さは、以下の方程式を満たす。
（ｎｆａｓｔ−ｎｓｌｏｗ）＊Ｔ＝１／２＊ｍ＊λであり、
ｎｆａｓｔは保護フィルムのファスト軸方向の屈折率であり、ｎｓｌｏｗは保護フィルムのスロー軸方向の屈折率であり、Ｔは保護フィルムの厚さであり、ｍは正の整数であり、λは屈折率である。
【００８６】
可能な実施例において、本出願の実施形態は、電子デバイスを提供する。電子デバイスは、アンダーディスプレイ指紋認識技術をサポートし、前述の保護フィルムは、電子デバイスのスクリーンに取り付けられる。
【００８７】
本出願の実施形態において、垂直というのは絶対的に垂直であるわけではないのは理解されるべきである。ＡがＢに垂直であるというのは、ＡとＢとの間の角度の範囲が［９０−ａ，９０＋ａ］でありうる。同様に、平行は絶対的に平行ではない。ＡがＢと平行であるというのは、ＡとＢとの間の角度の範囲が［０，ｂ］でありうる。ＡとＢとの間の４５°の角度は、絶対的な４５°の角度ではない。ＡとＢとの間に４５°の角度があるというのは、ＡとＢとの間の角度の範囲が［４５−ｃ，４５＋ｃ］でありうる。例えば、ａは５でありえ、ｂは４でありえ、ｃは３でありうる。ａ、ｂ、ｃは５でありうる。ａは６でありえ、ｂは３でありえ、ｃは６でありうる。またはａ、ｂ、ｃは１５でありうる。
【００８８】
以下、ａが５であり、ｂが４であり、ｃが３でありうる例を用いて説明する。
【００８９】
例えば、保護フィルムのファスト軸方向が電子デバイスのタッチスクリーンの第１の偏光子の偏光方向と平行であるというのは、保護フィルムのファスト軸方向と第１の偏光子の偏光方向との間の角度の範囲が［０，ｂ］であり、ｂが４でありうるということであってもよい。例えば、保護フィルムのファスト軸方向と第１の偏光子の偏光方向との間の角度が０°、２°、または４°であり、これらは全て、本出願のこの実施形態における保護フィルムのファスト軸方向が電子デバイスのタッチスクリーンの第１の偏光子の偏光方向と平行であるものとして考えられるべきである。
【００９０】
別の例として、保護フィルムのスロー軸方向が、第１の偏光子の偏光方向に対して垂直であるというのは、保護フィルムのスロー軸方向と第１の偏光子の偏光方向との間の角度の範囲が［９０−ａ，９０＋ａ］であり、ａが５でありうる。例えば、保護フィルムのスロー軸方向と第１の偏光子の偏光方向との間の角度が８５°、８８°、９０°、９３°、または９５°であり、これらは全て、本出願の本実施形態の保護フィルムのスロー軸方向が、第１の偏光子の偏光方向と垂直であるとして理解すべきである。
【００９１】
別の例として、第１の偏光子の偏光方向と、保護フィルムのファスト軸方向及びスロー軸方向のそれぞれとの間に４５°の角度が存在するというのは、第１の偏光子の偏光方向と保護フィルムのファスト軸の方向との間の角度の範囲が［４５−ｃ，４５］であり、第１の偏光子の偏光方向と保護フィルムのスロー軸方向との間の角度の範囲が［４５，４５＋ｃ］であり、ｃが３でありうる。例えば、第１の偏光子の偏光方向と保護フィルムのファスト軸方向との間の角度が４２°であり、第１の偏光子の偏光方向と保護フィルムのスロー軸方向との間の角度が４８°である。または、第１の偏光子の偏光方向と保護フィルムのファスト軸方向との間の角度が４４°であり、第１の偏光子の偏光方向と保護フィルムのスロー軸方向との間の角度が４６°であり、これらは全て、本出願のこの実施形態における第１の偏光子の偏光方向と、保護フィルムのファスト軸方向及びスロー軸方向のそれぞれとの間に４５°の角度が存在するとして理解されるべきである。図９に示されるように、本出願の実施形態は、保護フィルムを切断するための装置４００を提供し、装置は、
入射光が第２の偏光子及び、第２の偏光子と平行な回転された保護フィルムを通って第３の偏光子に到達し、第３の偏光子を通過する際に生じる透過光のパワーを検出するように構成された検出ユニット３１０であって、第２の偏光子及び第３の偏光子が同じ偏光方向を有し、保護フィルムが複屈折効果によって特徴づけられる、検出ユニット３１０と、
透過光のパワーに基づいて、保護フィルムの第１のファスト軸方向または第１のスロー軸方向を決定するように構成された決定ユニット３２０と、
切断された保護フィルムを得るために、第１のファスト軸方向または第１のスロー軸方向に沿って保護フィルムを切断するように構成された切断ユニット３３０と、を含む。
【００９２】
任意選択的な実施形態において、決定ユニット４２０は、特に、透過光の最大パワーに対応している保護フィルムのファスト軸方向を第１のファスト軸方向として決定するか、または透過光の最大パワーに対応している保護フィルムのスロー軸方向を第１のスロー軸方向として決定するように構成される。
【００９３】
任意選択的な実施形態において、保護フィルムの第１のファスト軸方向または第１のスロー軸方向が決定された後、第１のファスト軸方向は第２の偏光子の偏光方向と平行であり、第１のスロー軸方向は第２の偏光子の偏光方向に対して垂直である。または、第１のファスト軸方向は第２の偏光子の偏光方向に対して垂直であり、第１のスロー軸方向は第２の偏光子の偏光方向と平行である。
【００９４】
任意選択的な実施形態において、保護フィルムの第１のファスト軸方向または第１のスロー軸方向が決定された後、第２の偏光子の偏光方向と、第１のファスト軸方向及び第１のスロー軸方向のそれぞれとの間に４５°の角度が存在し、切断された保護フィルムの厚さは、以下の方程式を満たす。
（ｎｆａｓｔ−ｎｓｌｏｗ）＊Ｔ＝１／２＊ｍ＊λ
ここで、ｎｆａｓｔは保護フィルムの第１の軸方向の屈折率であり、ｎｓｌｏｗは保護フィルムのスロー軸方向の屈折率であり、Ｔは保護フィルムの厚さであり、ｍは正の整数であり、λは屈折率である。
【００９５】
任意選択的な実施形態において、切断された保護フィルムは、アンダーディスプレイ指紋認識技術をサポートする電子デバイスのスクリーンに取り付けられる。電子デバイスのタッチスクリーンにおける第１の偏光子は、第２の偏光子のそれと同じ偏光方向を有する。
【００９６】
任意選択的な実施形態において、保護フィルムは、ポリエチレンテレフタレートＰＥＴフィルムである。
【００９７】
任意選択的な実施形態において、保護フィルムは、複屈折効果によって特徴づけられる複合フィルムでありうる。例えば、複合フィルムは、ＰＥＴフィルム及びＴＰＵフィルムを含む複合材料フィルムでありうる。
【００９８】
図１０に示されるように、本出願の実施形態は、保護フィルムを切断するための装置を提供し、装置は、
入射光が第２の偏光子及び、第２の偏光子に平行な回転された保護フィルムを通って第３の偏光子に到達し、第３の偏光子を通過したときに生成される透過光のパワーを検出するように構成されたパワー検出器４１０であって、第２の偏光子及び第３の偏光子が同じ偏光方向を有し、保護フィルムが複屈折効果によって特徴づけられる、パワー検出器４１０と、
透過光のパワーに基づいて、保護フィルムの第１のファスト軸方向または第１のスロー軸方向を決定するように構成されたプロセッサ４２０と、
切断された保護フィルムを得るために、第１のファスト軸方向または第１のスロー軸方向に沿って保護フィルムを切断するように構成されたカッター４３０と、を含む。
【００９９】
任意選択的な実施形態において、プロセッサ４２０は、具体的に、透過光の最大パワーに対応している保護フィルムのファスト軸方向を第１のファスト軸方向として決定し、または透過光の最大パワーに対応している保護フィルムのスロー軸方向を第１のスロー軸方向として決定するように構成される。
【０１００】
任意選択的な実施形態において、保護フィルムの第１のファスト軸方向または第１のスロー軸方向が決定された後、第１のファスト軸方向は第２の偏光子の偏光方向と平行であり、第１のスロー軸方向は第２の偏光子の偏光方向に対して垂直である。または、第１のファスト軸方向は第２の偏光子の偏光方向に対して垂直であり、第１のスロー軸方向は第２の偏光子の偏光方向に対して平行である。
【０１０１】
任意選択的な実施形態において、保護フィルムの第１のファスト軸方向または第１のスロー軸方向が決定された後、第２の偏光子の偏光方向と第１のファスト軸方向及び第１のスロー軸方向のそれぞれとの間に４５°の角度が存在し、切断された保護フィルムの厚さは、以下の方程式を満たす。
（ｎｆａｓｔ−ｎｓｌｏｗ）＊Ｔ＝１／２＊ｍ＊λ
ここで、ｎｆａｓｔは保護フィルムのファスト軸方向の屈折率であり、ｎｓｌｏｗは保護フィルムのスロー軸方向の屈折率であり、Ｔは保護フィルムの厚さであり、ｍは正の整数であり、λは屈折率である。
【０１０２】
任意選択的な実施形態において、切断された保護フィルムはアンダーディスプレイ指紋認識をサポートする電子デバイスのスクリーンに取り付けられる。電子デバイスのタッチスクリーンにおける第１の偏光子は、第２の偏光子のそれと同じ偏光方向を有する。
【０１０３】
任意選択的な実施形態において、保護フィルムは、ポリエチレンテレフタレートＰＥＴフィルムである。
【０１０４】
前述の実施形態に関して、第１のファスト軸は第１の軸であってもよく、第１のスロー軸は第２の軸であってもよいことは理解されうる。第１の軸は第２の軸に対して垂直でありうる。
【０１０５】
前述の実施形態において、「平行」とは絶対的な平行であってもよく、またはほぼ平行であってもよいことは理解されうる。例えば、ＡがＢと平行であるというのは、ＡとＢとの間の角度の範囲が［０，ｂ］であり、ｂの具体的な値は製品ごとに変化する。例えば、ｂは４でありうる。Ａは、保護フィルムの第１の軸（第１のファスト軸）または保護フィルムの第２の軸（第１のスロー軸）であってもよく、Ｂは電子デバイスのタッチスクリーン（例えば、タッチスクリーン）における偏光子（例えば第１の偏光子）の偏光方向であってもよい。詳細な説明に関しては、前述の実施形態の説明を参照されたい。
【０１０６】
前述の実施形態における「垂直」とは、絶対的な垂直であってもよく、ほぼ垂直であってもよいことは理解されうる。例えば、ＡがＢに対して垂直であるというのは、ＡとＢとの間の角度の範囲が［９０−ａ，９０＋ａ］であってもよく、ａの具体的な値は製品ごとに変化する。例えば、ａは５でありうる。Ａは保護フィルムの第１の軸（例えば第１のファスト軸）であってもよく、保護フィルムの第２の軸（例えば第１のスロー軸）であってもよく、Ｂは電子デバイスのタッチスクリーン（例えばタッチスクリーン）の偏光子（例えば第１の偏光子）の偏光方向であってもよい。詳細な説明に関しては、前述の実施形態の説明を参照されたい。
【０１０７】
第１の偏光子の偏光方向と、前述の実施形態の保護フィルムのファスト軸方向（第１の軸方向）及びスロー軸方向（第２の軸方向）のそれぞれとの間に４５°の角度が存在するというのは、第１の偏光子の偏光方向と、保護フィルムのファスト軸方向（第１の軸方向）及びスロー軸方向（第２の軸方向）のそれぞれとの間の角度の範囲がが［４５＋ｃ，４５−ｃ］であってもよく、ｃの具体的な値は製品ごとに変化する。例えば、ｃは３でありうる。詳細な説明に関しては、前述の実施形態の説明を参照されたい。
【０１０８】
保護フィルムのファスト軸方向が前述の実施形態における第１の偏光子の偏光方向と平行または偏光方向に対して垂直であるというのは、保護フィルムのファスト軸が第１の偏光子の偏光方向と平行または偏光方向に対して垂直であるということでありうることは理解されうる。保護フィルムのスロー軸方向が前述の実施形態における第１の偏光子の偏光方向と平行または偏光方向に対して垂直であるということは、保護フィルムのスロー軸が、第１の偏光子の偏光方向と平行または偏光方向に対して垂直であるということでありうる。第１の偏光子の偏光方向と、前述の実施形態の保護フィルムのファスト軸方向及びスロー軸方向のそれぞれとの間に４５°の角度が存在するということは、第１の偏光子の偏光方向と、保護フィルムの第１の軸及びスロー軸のそれぞれとの間に４５°の角度が存在するということでありうる。
【０１０９】
当業者であれば、本明細書で開示された実施形態を参照して説明された例におけるユニットおよびアルゴリズムのステップは、電子ハードウェアまたは、コンピュータソフトウェアと電子ハードウェアの組み合わせによって実現されうることが分かるであろう。機能がハードウェアによって実施されるか、ソフトウェアによって実施されるかは、技術的解決手段の具体的な用途及び設計の制約に依存する。当業者であれば、特定の用途のそれぞれについて説明された機能を実施するために様々な方法を使用しうるが、そのような実施は、本出願の範囲を逸脱するものと考えられるべきではない。
【０１１０】
本出願で提供されるいくつかの実施形態において、開示される装置及び方法が、他の方法で実現されうると理解されるべきである。例えば、説明された装置の実施形態は単なる例である。例えば、ユニットの分割は、単なる論理的な機能的分割であり、実際の実施例におけるその他の分割もありうる。例えば、複数のユニットまたは構成要素が組み合わせられてもよく、もしくは別のシステムに統合されてもよく、またはいくつかの特徴は無視され、もしくは実施されなくてもよい。さらに、表示された、もしくは議論された相互結合、または直接的な結合もしくは通信接続は、いくつかのインターフェースを使用することによって実施されうる。装置またはユニット間の間接的な結合または通信接続は、電気的、機械的、またはその他の形態で実現されうる。
【０１１１】
さらに、本出願の実施形態における機能的ユニットは、１つの処理ユニットに統合されてもよく、またはユニットのそれぞれが物理的に単独で存在してもよく、または２つもしくはそれ以上のユニットが１つのユニットに統合されてもよい。
【０１１２】
前述の説明は、本出願の単なる具体的な実施例であるが、本出願の保護範囲を限定することを意図されていない。当業者によって、本出願で開示された技術的範囲内で容易に理解される任意の変形または置換は、本出願の保護範囲内にあるものとする。したがって、本出願の保護範囲は、特許請求の範囲の保護範囲に従うものとする。
【符号の説明】
【０１１３】
１１０  指
１２０  タッチスクリーン
１２５  光
１３０  レンズ
１４０  センサアレイ
１４１  センサ
２００  保護フィルムを切断するための方法
３１０  検出ユニット
３２０  決定ユニット
３３０  切断ユニット
４００  保護フィルムを切断するための装置
４１０  パワー検出器
４２０  プロセッサ
４３０  カッター
【図１】
2021513688.tif 000004
【図２】
2021513688.tif 000005
【図３】
2021513688.tif 000006
【図４】
2021513688.tif 000007
【図５】
2021513688.tif 000008
【図６】
2021513688.tif 000009
【図７】
2021513688.tif 000010
【図８】
2021513688.tif 000011
【図９】
2021513688.tif 000012
【図１０】
2021513688.tif 000013
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
保護フィルムであって、前記保護フィルムが複屈折効果によって特徴づけられ、電子デバイスがタッチスクリーン及び光学センサモジュールを含み、前記光学センサモジュールがタッチスクリーンの下に配置され、前記保護フィルムが前記電子デバイスの前記タッチスクリーンに取り付けられ、
前記保護フィルムのファスト軸方向が、前記電子デバイスの前記タッチスクリーンにおける第１の偏光子の偏光方向と平行であり、前記保護フィルムのスロー軸方向が、前記第１の偏光子の前記偏光方向に対して垂直であるか、または、前記保護フィルムのスロー軸方向が、前記電子デバイスの前記タッチスクリーンにおける第１の偏光子の偏光方向と平行であり、前記保護フィルムのファスト軸方向が、前記第１の偏光子の前記偏光方向に対して垂直であるか、または、前記電子デバイスの前記タッチスクリーンにおける第１の偏光子の偏光方向と、前記保護フィルムのファスト軸方向及びスロー軸方向のそれぞれとの間に４５°の角度が存在する、保護フィルム。
【請求項２】
前記第１の偏光子の前記偏光方向と、前記保護フィルムの前記ファスト軸方向及び前記スロー軸方向のそれぞれとの間に４５°の角度が存在する場合に、前記保護フィルムの厚さが、以下の方程式、
（ｎｆａｓｔ−ｎｓｌｏｗ）＊Ｔ＝１／２＊ｍ＊λを満たし、
ｎｆａｓｔが前記保護フィルムの前記ファスト軸方向の屈折率であり、ｎｓｌｏｗが前記保護フィルムの前記スロー軸方向の屈折率であり、Ｔが前記保護フィルムの厚さであり、ｍが正の整数であり、λが屈折率である、請求項１に記載の保護フィルム。
【請求項３】
前記電子デバイスが、アンダーディスプレイ指紋認識をサポートする、請求項１または２に記載の保護フィルム。
【請求項４】
前記タッチスクリーンによって放出された光が前記保護フィルムを通過して使用者の指に入射し、前記指の指紋から反射された光が前記保護フィルム及びタッチスクリーンを通過して前記光学センサに入射し、前記光学センサが、前記光を指紋データに変換する、請求項１または２に記載の保護フィルム。
【請求項５】
前記保護フィルムが、ポリエチレンテレフタレートＰＥＴフィルムである、請求項１から４のいずれか一項に記載の保護フィルム。
【請求項６】
電子デバイスであって、前記電子デバイスがアンダーディスプレイ指紋認識をサポートし、前記電子デバイスがタッチスクリーン及び光学センサモジュールを含み、前記光学センサモジュールが前記タッチスクリーンの下に配置され、保護フィルムが、前記タッチスクリーンに取り付けられ、前記保護フィルムが、第１の軸及び第２の軸を含み、前記第１の軸が、前記第２の軸に対して垂直であり、
前記保護フィルムの前記第１の軸が、前記電子デバイスの前記タッチスクリーンにおける第１の偏光子の偏光方向と平行であり、前記保護フィルムの前記第２の軸が前記電子デバイスの前記タッチスクリーンにおける前記第１の偏光子の前記偏光方向に対して垂直であるか、または、
前記保護フィルムの前記第２の軸が、前記電子デバイスの前記タッチスクリーンにおける第１の偏光子の偏光方向と平行であり、前記保護フィルムの前記第１の軸が、前記電子デバイスの前記タッチスクリーンにおける前記第１の偏光子の偏光方向に対して垂直であるか、または
第１の偏光子の偏光方向と、前記保護フィルムの前記第１の軸及び前記第２の軸のそれぞれとの間に４５°の角度が存在する、電子デバイス。
【請求項７】
前記第１の偏光子の前記偏光方向と、前記保護フィルムの前記第１の軸及び前記第２の軸のそれぞれとの間に４５°の角度が存在する場合に、前記保護フィルムの厚さが以下の方程式、
（ｎｆａｓｔ−ｎｓｌｏｗ）＊Ｔ＝１／２＊ｍ＊λを満たし、
ｎｆａｓｔが前記保護フィルムのファスト軸方向の屈折率であり、ｎｓｌｏｗが前記保護フィルムのスロー軸方向の屈折率であり、Ｔが前記保護フィルムの厚さであり、ｍが正の整数であり、λが屈折率である、請求項６に記載の電子デバイス。
【請求項８】
前記タッチスクリーンによって放出された光が前記保護フィルムを通過して使用者の指に入射し、前記指の指紋から反射された光が前記保護フィルム及びタッチスクリーンを通過して前記光学センサに入射し、前記光学センサが、前記光を指紋データに変換する、請求項６または７に記載の電子デバイス。
【請求項９】
前記保護フィルムがポリエチレンテレフタレートＰＥＴフィルムである、請求項６から８のいずれか一項に記載の電子デバイス。
【請求項１０】
前記第１の軸がファスト軸であり、前記第２の軸がスロー軸である、請求項６から９のいずれか一項に記載の電子デバイス。
【請求項１１】
前記第１の偏光子が前記タッチスクリーンの前記保護フィルムに最も近い偏光子である、請求項６から１０のいずれか一項に記載の電子デバイス。
【請求項１２】
前記電子デバイスが、携帯電話、腕時計、または眼鏡である、請求項６から１１のいずれか一項に記載の電子デバイス。
【国際調査報告】
2021513688.tif 000014
2021513688.tif 000015
2021513688.tif 000016
2021513688.tif 000017